【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
図柄変動ゲームの開始時に当りか否かの当り抽選を行う当り抽選手段と、前記当りに当選した場合に当りの種類を選択する当り選択手段と、を備え、前記図柄変動ゲームが前記当りとなる場合の遊技中の演出として、前記当りの当選を報知するとともに、該当選の報知後、遊技者が操作可能な演出用操作手段の操作結果に基づいて当選している前記当りの種類を示唆する示唆演出を行い、前記当りに当選した場合には前記図柄変動ゲームの終了後に遊技球の入球が許容される入賞手段が開放する当り遊技が行われる遊技機において、
前記当りの種類からは、前記当り遊技中の利益と前記当り遊技の終了後の利益とが特定され、
前記示唆演出として、当選している前記当りの種類に基づく前記当り遊技中の利益の大小を示唆する第１示唆演出を行わせるとともに、当選している前記当りの種類に基づく前記当り遊技の終了後の利益の大小を示唆する第２示唆演出を行わせる示唆演出制御手段を備え、
前記第１示唆演出では、複数種類の示唆結果を有するとともに、該第１示唆演出で導出する最終示唆結果から前記当りの種類に基づく前記当り遊技中の利益の大小を示唆し、
前記第２示唆演出では、複数段階に亘って変化する示唆態様を有するとともに、該第２示唆演出を通して変化する最終示唆態様から前記当りの種類に基づく前記当り遊技の終了後の利益の大小を示唆し、
前記示唆演出制御手段は、
前記第１示唆演出を行わせるに際し、前記当りの種類に基づく前記当り遊技中の利益の大小に応じて対象とする前記第１示唆演出における前記最終示唆結果を決定し、前記第１示唆演出中の所定タイミングで前記最終示唆結果を導出させるように制御する一方、
前記第２示唆演出を行わせるに際し、前記当りの種類に基づく前記当り遊技の終了後の利益の大小に応じて対象とする前記第２示唆演出における前記最終示唆態様を決定し、前記第２示唆演出中の前記演出用操作手段の操作に応じて前記示唆態様を前記最終示唆態様へと変化させるように制御するとともに、前記最終示唆態様への変化に至る途中段階の示唆態様毎に、次の段階の示唆態様へ変化させるための確率を設定し、前記第２示唆演出中、前記演出用操作手段の操作毎に次の段階の示唆態様へ変化させるか否かをその時の示唆態様に設定している確率に基づき抽選し、
前記第２示唆演出の前記最終示唆態様は、前記当りの種類によって異なる振分けが設定されている一方で、前記次の段階の示唆態様へ変化させるための確率は、各段階において同一確率に設定されていることを特徴とする遊技機。
【請求項２】
前記第２示唆演出は、前記第１示唆演出の実行時期と重なる時期に実行され、
前記演出用操作手段の操作結果は、前記第１示唆演出と前記第２示唆演出のそれぞれに反映される請求項１に記載の遊技機。
【請求項３】
前記当りの種類には、前記当り遊技中の前記入賞手段の開放態様を前記当り遊技中の利益が小さくなるように制御することを特定する小利益当りと、前記当り遊技中の前記入賞手段の開放態様を前記当り遊技中の利益が前記小利益当りよりも大きくなるように制御することを特定する大利益当りを含み、
前記小利益当りには、前記当り遊技の終了後の前記当り抽選の抽選確率状態を高確率抽選状態に制御することを特定する高確小利益当りと、前記当り遊技の終了後の前記当り抽選の抽選確率状態を低確率抽選状態に制御することを特定する低確小利益当りを含み、
前記大利益当りには、前記大利益当りの中でも遊技者が見込める獲得賞球の総数が少ない第１大利益当りと、遊技者が見込める獲得賞球の総数が前記第１大利益当りに比して多い第２大利益当りを含み、
前記示唆演出制御手段は、
前記小利益当りの当選に基づいた前記第２示唆演出における前記最終示唆態様の決定に際し、前記高確小利益当りの当選に基づく場合、前記低確小利益当りの当選に基づく場合に比して前記当り遊技の終了後の利益が大きいことを示唆する示唆態様を前記最終示唆態様として決定し易く、
前記大利益当りの当選に基づいた前記第１示唆演出における前記最終示唆結果の決定に際し、前記小利益当りの当選に基づく場合に比して前記当り遊技中の利益が大きいことを示唆する前記最終示唆結果を決定する一方、前記第１大利益当り及び前記第２大利益当りに関係なく同一の前記最終示唆結果を決定し、
前記小利益当りに基づく前記当り遊技中における前記入賞手段の１回の開放時間は、前記第２大利益当りに基づく前記当り遊技中における前記入賞手段の１回の開放時間と同一時間である請求項１又は請求項２に記載の遊技機。
【請求項４】
前記示唆演出制御手段は、前記第１示唆演出の結果として前記利益が小さいことを導出させた後、前記当り遊技の開始を報知するオープニング演出中に前記利益が大きいことを報知する場合がある請求項１〜請求項３のうち何れか一項に記載の遊技機。
【手続補正２】
【補正対象書類名】明細書
【補正対象項目名】０００８
【補正方法】変更
【補正の内容】
【０００８】
上記目的を達成するために、請求項１に記載の発明は、図柄変動ゲームの開始時に当りか否かの当り抽選を行う当り抽選手段と、前記当りに当選した場合に当りの種類を選択する当り選択手段と、を備え、前記図柄変動ゲームが前記当りとなる場合の遊技中の演出として、前記当りの当選を報知するとともに、該当選の報知後、遊技者が操作可能な演出用操作手段の操作結果に基づいて当選している前記当りの種類を示唆する示唆演出を行い、前記当りに当選した場合には前記図柄変動ゲームの終了後に遊技球の入球が許容される入賞手段が開放する当り遊技が行われる遊技機において、前記当りの種類からは、前記当り遊技中の利益と前記当り遊技の終了後の利益とが特定され、前記示唆演出として、当選している前記当りの種類に基づく前記当り遊技中の利益の大小を示唆する第１示唆演出を行わせるとともに、当選している前記当りの種類に基づく前記当り遊技の終了後の利益の大小を示唆する第２示唆演出を行わせる示唆演出制御手段を備え、前記第１示唆演出では、複数種類の示唆結果を有するとともに、該第１示唆演出で導出する最終示唆結果から前記当りの種類に基づく前記当り遊技中の利益の大小を示唆し、前記第２示唆演出では、複数段階に亘って変化する示唆態様を有するとともに、該第２示唆演出を通して変化する最終示唆態様から前記当りの種類に基づく前記当り遊技の終了後の利益の大小を示唆し、前記示唆演出制御手段は、前記第１示唆演出を行わせるに際し、前記当りの種類に基づく前記当り遊技中の利益の大小に応じて対象とする前記第１示唆演出における前記最終示唆結果を決定し、前記第１示唆演出中の所定タイミングで前記最終示唆結果を導出させるように制御する一方、前記第２示唆演出を行わせるに際し、前記当りの種類に基づく前記当り遊技の終了後の利益の大小に応じて対象とする前記第２示唆演出における前記最終示唆態様を決定し、前記第２示唆演出中の前記演出用操作手段の操作に応じて前記示唆態様を前記最終示唆態様へと変化させるように制御するとともに、前記最終示唆態様への変化に至る途中段階の示唆態様毎に、次の段階の示唆態様へ変化させるための確率を設定し、前記第２示唆演出中、前記演出用操作手段の操作毎に次の段階の示唆態様へ変化させるか否かをその時の示唆態様に設定している確率に基づき抽選し、前記第２示唆演出の前記最終示唆態様は、前記当りの種類によって異なる振分けが設定されている一方で、前記次の段階の示唆態様へ変化させるための確率は、各段階において同一確率に設定されていることを要旨とする。
【手続補正３】
【補正対象書類名】明細書
【補正対象項目名】０００９
【補正方法】変更
【補正の内容】
【０００９】
請求項２に記載の発明は、請求項１に記載の遊技機において、前記第２示唆演出は、前記第１示唆演出の実行時期と重なる時期に実行され、前記演出用操作手段の操作結果は、前記第１示唆演出と前記第２示唆演出のそれぞれに反映されることを要旨とする。
【手続補正４】
【補正対象書類名】明細書
【補正対象項目名】００１０
【補正方法】変更
【補正の内容】
【００１０】
請求項３に記載の発明は、請求項１又は請求項２に記載の遊技機において、前記当りの種類には、前記当り遊技中の前記入賞手段の開放態様を前記当り遊技中の利益が小さくなるように制御することを特定する小利益当りと、前記当り遊技中の前記入賞手段の開放態様を前記当り遊技中の利益が前記小利益当りよりも大きくなるように制御することを特定する大利益当りを含み、前記小利益当りには、前記当り遊技の終了後の前記当り抽選の抽選確率状態を高確率抽選状態に制御することを特定する高確小利益当りと、前記当り遊技の終了後の前記当り抽選の抽選確率状態を低確率抽選状態に制御することを特定する低確小利益当りを含み、前記大利益当りには、前記大利益当りの中でも遊技者が見込める獲得賞球の総数が少ない第１大利益当りと、遊技者が見込める獲得賞球の総数が前記第１大利益当りに比して多い第２大利益当りを含み、前記示唆演出制御手段は、前記小利益当りの当選に基づいた前記第２示唆演出における前記最終示唆態様の決定に際し、前記高確小利益当りの当選に基づく場合、前記低確小利益当りの当選に基づく場合に比して前記当り遊技の終了後の利益が大きいことを示唆する示唆態様を前記最終示唆態様として決定し易く、前記大利益当りの当選に基づいた前記第１示唆演出における前記最終示唆結果の決定に際し、前記小利益当りの当選に基づく場合に比して前記当り遊技中の利益が大きいことを示唆する前記最終示唆結果を決定する一方、前記第１大利益当り及び前記第２大利益当りに関係なく同一の前記最終示唆結果を決定し、前記小利益当りに基づく前記当り遊技中における前記入賞手段の１回の開放時間は、前記第２大利益大当りに基づく前記当り遊技中における前記入賞手段の１回の開放時間と同一時間であることを要旨とする。
【手続補正５】
【補正対象書類名】明細書
【補正対象項目名】００１１
【補正方法】変更
【補正の内容】
【００１１】
請求項４に記載の発明は、請求項１〜請求項３のうち何れか一項に記載の遊技機において、前記示唆演出制御手段は、前記第１示唆演出の結果として前記利益が小さいことを導出させた後、前記当り遊技の開始を報知するオープニング演出中に前記利益が大きいことを報知する場合があることを要旨とする。